(57)【特許請求の範囲】
【請求項１】
日除け類の上端を取り付ける桟部材と該桟部材に長手方向に摺動自在に取り付けた吊掛具とよりなる日除け類の取付具であって、
前記吊掛具は桟部材の頭部を包持する包持枠体部の両側下端に前記頭部の両側下端に形成した内段部に係合する係合部を設けて、また、該包持枠体部の上端にフック部を設けてなり、さらに、該包持枠体部の両側に引上げ紐を挿通又は結束するリング部を設け、該リング部の孔縁下側を前記係合部と係合する内段部より下方に位置させたことを特徴とする日除け類の取付具。
【請求項２】
前記桟部材は合成樹脂材よりなるものとして、前記頭部の内段部の下方に垂設した側板部の下端に内向きの挟持片を先端面同士が当接するように設けて、該先端面間に合成樹脂材の弾発力を利用して日除け類の上端を挟持して取り付けることとした請求項１に記載の日除け類の取付具。
【請求項３】
前記吊掛具を前記桟部材に複数個を摺動自在に取り付けた請求項１又は２に記載の日除け類の取付具。
【発明の詳細な説明】
【技術分野】
【０００１】
本発明は、シェード、簾等の日除け類の上端を取り付ける合成樹脂材よりなる桟部材と該桟部材に長手方向に摺動自在に取り付けた複数個の吊掛具とよりなる日除け類の取付具に関するものである。
【背景技術】
【０００２】
前記のような日除け類の取付具としては、図１０に示すように簾１００の上桟１０１を上方で仕切板１０２で仕切り、上板に係止溝１０３を設けて、この係止溝１０３にフック部１０５の下端に設けた基部１０４を摺動自在に取り付けたものが知られている（特許文献１の図６）。
【０００３】
しかしながら、これはフック部１０５の基部１０４が係止溝１０３内に位置するものであるため、フック部１０５と一体に簾を引き上げるための引上げ機構を設けることができないものであった。
【先行技術文献】
【特許文献】
【０００４】
【特許文献１】特開平９−５６５７２号公報（図６参照）
【発明の概要】
【発明が解決しようとする課題】
【０００５】
本発明は前記のような問題を解決して、シェードや簾等の日除け類の上端を取り付ける桟部材に吊掛具を摺動自在に取り付けできるとともに、該吊掛具に引上げ紐を取り付けできる日除け類の取付具を提供することを目的として完成されたものである。
【課題を解決するための手段】
【０００６】
本発明の日除け類の取付具は、日除け類の上端を取り付ける桟部材と該桟部材に長手方向に摺動自在に取り付けた吊掛具とよりなる日除け類の取付具であって、前記吊掛具は桟部材の頭部を包持する包持枠体部の両側下端に前記頭部の両側下端に形成した内段部に係合する係合部を設けて、また、該包持枠体部の上端にフック部を設けてなり、さらに、該包持枠体部の両側に引上げ紐を挿通又は結束するリング部を設け、該リング部の孔縁下側を前記係合部と係合する内段部より下方に位置させたことを特徴とするものを基本の発明とする。
【０００７】
また、前記桟部材は合成樹脂材よりなるものとして、前記頭部の内段部の下方に垂設した側板部の下端に内向きの挟持片を先端面同士が当接するように設けて、該先端面間に合成樹脂材の弾発力を利用して日除け類の上端を挟持して取り付けることが好ましいものである。
【０００８】
また、前記吊掛具を前記桟部材に複数個を摺動自在に取り付けることが好ましいものである。
【発明の効果】
【０００９】
前記した本発明の日除け類の取付具は、桟部材に日除け類の上端を取り付けて、吊掛具のフック部を窓の上部に取り付けた鉤金具に係止させて使用するものである。前記吊掛具は前記桟部材に長手方向に摺動自在に取り付けたものであるから、複数個であっても対応する鉤金具の位置と容易に合わせることができるものである。
【００１０】
そして、前記吊掛具は桟部材の頭部を包持する包持枠体部の両側下端に前記頭部の両側下端に形成した内段部に係合する係合部を設けて、また、該包持枠体部の上端にフック部を設けたものであるから、吊掛具は桟部材の頭部から外れることなく的確に取り付けられるものである。さらに、該包持枠体部の両側に引上げ紐を挿通又は結束するリング部を設けているので、両リング部を利用して引上げ紐を日除け類を引き上げるように取り付ければ、該引上げ紐により日除け類を引上げ、引下げができるものである。
【００１１】
また、前記桟部材は合成樹脂材よりなるものとして、前記頭部の内段部の下方に垂設した側板部の下端に内向きに先端面同士が当接するように挟持片を設けているので、該先端面間に合成樹脂材の弾発力を利用して日除け類の上端を挟持して取り付けすることにより、日除け類が布、レザー等のシート状のものであれば、取り付けが容易なものとなる。
【００１２】
また、前記包持枠体部の両側に引上げ紐を挿通又は結束するリング部を、該リング部の孔縁下側を前記係合部と係合する内段部より下方に位置させたことにより、引上げ紐に掛かる荷重は係合部に対して係合方向に掛かることとなるので、引上げ紐の引上げ、引下げ動作により前記包持枠体部が桟部材の頭部より外れることはないものである。
【図面の簡単な説明】
【００１３】
【図１】本発明の第１の実施形態を示す斜視図。
【図２】同じく側面図。
【図３】第１の実施形態に使用する桟部材を示す一部切欠斜視図。
【図４】第１の実施形態に使用する吊掛具を示す斜視図。
【図５】同じく側面面。
【図６】同じく断面図。
【図７】本発明の第２の実施形態を示す要部側面図。
【図８】本発明の第３の実施形態を示す要部側面図。
【図９】本発明の第４の実施形態を示す要部側面図。
【図１０】従来例を示す斜視図。
【発明を実施するための形態】
【００１４】
次に、本発明の好ましい実施の形態を図面に基づき説明する。
図１〜図６は第1の実施形態を示すものであり、１はシェードよりなる日除け類２の上端を取り付ける桟部材である。３は吊掛具であり、該吊掛具３は複数個すなわち２個を前記桟部材１に長手方向に摺動自在に取り付けられている。また、各吊掛具３は前記桟部材１に着脱自在なものでもある。
【００１５】
前記吊掛具３は桟部材１の頭部１１を包持する包持枠体部３１の両側下端に前記頭部１１の両側下端に形成した内段部１２，１２に係合する係合部３２、３２を設けている。また、該包持枠体部３１の上端にはフック部３３を設けている。さらに、該包持枠体部３１の両側に引上げ紐４を挿通又は結束するリング部３４、３４を設けてある。
【００１６】
前記桟部材１は合成樹脂材よりなるものが好ましいものである。そして、前記桟部材１の頭部１１の内段部１２、１２の下方に垂設した側板部１３、１３の下端に内向きの挟持片１４、１４を先端面同士が当接するように設けて、該先端面間に合成樹脂材の弾発力を利用して日除け類２の上端を挟持して取り付けるものである。また、吊掛具３はナイロンよりなるものが強靭性があり好ましいが、他の合成樹脂材であってもよい。
【００１７】
また、前記包持枠体部３１の両側に引上げ紐４を挿通又は結束するリング部３４、３４を該リング部３４の孔縁下側３４ａを図２、図５、図６に示すように、前記係合部３２と係合する内段部１２より下方に位置させて設けている。
【００１８】
なお、この第１の実施形態にあっては、桟部材１は頭部１１を断面半円形状に形成して、半円形状の下端両側に断面コ字状の横溝部１５、１５を底板部１５ａ、１５ａが内側となるように連設して、該横溝部１５、１５の上板部１５ｂ、１５ｂを内段部１２、１２として形成したものである。
【００１９】
そして、横溝部１５、１５の下板部１５ｃ、１５ｃの先端に側板部１３、１３を垂設して該側板部１３、１３の下端に内向きの挟持片１４、１４を先端面同士が当接するように設けたものとしている。また、横溝部１５、１５の間に補強用板１６を張設している。
【００２０】
また、桟部材１は頭部１１を断面半円形状に形成したことに合わせて、前記吊掛具３の包持枠体部３１は前記桟部材１の頭部１１の断面形状に合わせて断面半円形状に形成している。
【００２１】
また、前記日除け類２が布製、合成樹脂シート製等よりなるシート状のシェードであるから日除け類２の上端は、前記桟部材１の側板部１３、１３の下端に内向きに設けた挟持片１４、１４の先端面間に合成樹脂材の弾発力を利用して容易に挟持して取り付けできるものである。なお、この場合に日除け類２の下端に下桟２１を設けることが好ましいものである。
【００２２】
このように構成された日除け類の取付具は、図１に示すように桟部材１に日除け類２の上端を取り付けて、吊掛具３のフック部３３を窓の上部に取り付けた鉤金具５に係止させて使用するものである。前記吊掛具３は複数個すなわち２個を前記桟部材１に長手方向に摺動自在に取り付けたものであるから、対応する鉤金具５の位置と容易に合わせることができるものである。
【００２３】
そして、前記吊掛具３は桟部材１の頭部１１を包持する包持枠体部３１の両側下端に前記頭部１１の両側下端に形成した内段部１２に係合する係合部３２を設けたものであるから、吊掛具３は桟部材１の頭部１１から外れることなく的確に取り付けられるものである。
【００２４】
また、前記吊掛具３の包持枠体部３１の両側に引上げ紐４を挿通又は結束するリング部３４、３４を設けているので、該引上げ紐４の基端側一方のリング部３４に結束して該引上げ紐４の自由端とした先端側を他方のリング部３４に挿通して、該引上げ紐４の基端側と他方のリング部３４との間に形成される弧状受部４１を日除け類２の下端に臨ませて、引上げ紐４の先端側をもって引き上げれば日除け類２は引上げることができるものである。
【００２５】
この実施形態では吊掛具３の２個を桟部材１に取り付けているので、各引上げ紐４の先端を紐止め具６に固定自在に束ねて挿通させている。
これにより、紐止め具６に挿通させた引上げ紐４を束ねた状態で纏めて引き下げれば、各引上げ紐４は夫々が挿通した他方のリング部３３を支点に、引上げ紐４に形成した弧状受部４１を引き上げることとなり、日除け類２は上方に引き上げることができるものである。そして、所定の引上げとなったら、引上げ紐４を桟部材１の近傍で紐止め具６により固定すれば、各引上げ紐４は紐止め具６を中心に連結固定されて引上げ状態を維持するものである。
【００２６】
また、吊掛具３のリング部３４、３４は、該リング部３４、３４の孔縁下側３４ａを前記係合部３２と係合する内段部１２より下方に位置させているので、引上げ紐４に掛かる荷重は係合部３２を係合方向に掛かることとなるので、引上げ紐４の引上げ、引下げ動作により前記包持枠体部３１が桟部材１の頭部１１より外れることはないものである。
【００２７】
また、この実施形態では、吊掛具３の２個を桟部材１に摺動自在に取り付けたものについて説明したが、桟部材１が長尺なものであれば、吊掛具３を３個、４個取り付けるものであっても良いこと勿論である。さらには、桟部材１が短いものであれば、吊掛具３を１個でもよく、この場合は取り付けのバランスから吊掛具３を桟部材１の中央に取り付けることは勿論である。
【００２８】
なお、桟部材１及び吊掛具３の構造は前記第１の実施形態のものに限定されものではなく、例えば、図７〜図９に示す第２〜４の実施形態のものがある。
【００２９】
すなわち、第２の実施形態は図７に示すように桟部材１の頭部１１を断面台形状にして、該頭部１１を包持する吊掛具３の包持枠体部３１もこれに合わせて下底の無い台形状として両脚の下端内側に前記頭部１１の両側下端に横溝部１５の上板部１５ｂにより形成した内段部１２，１２に係合する係合部３２、３２を設けたものである。
【００３０】
また、第３の実施形態は図８に示すように桟部材１の頭部１１と吊掛具３の包持枠体部３１は前記第２の実施形態と同様であるが、内段部１２，１２の下端に横溝部を形成することなく側板部１３、１３を下方に垂設して該側板部１３、１３の下端に内向きの挟持片１４、１４を先端面が当接するように設けたものである。
【００３１】
また、第４の実施形態は図９に示すように桟部材１の頭部１１を断面横長方形状にして、該頭部１１を包持する吊掛具３の包持枠体部３１もこれに合わせて下辺の無い横長方形状として、内段部１２，１２の下端に横溝部を形成することなく側板部１３、１３を下方に垂設して該側板部１３、１３の下端に内向きの挟持片１４、１４を先端面が当接するように設けたものである。
【符号の説明】
【００３２】
１  桟部材
11  頭部
12  内段部
13  側板部
14  挟持片
２  日除け類
21  下桟
３  吊掛具
31  包持枠体部
32  係合部
33  フック部
34  リング部
34a  リング部の孔縁下側
４  引上げ紐
５  鉤金具
６  紐止め具
【図１】
0006008303.tif 000002
【図２】
0006008303.tif 000003
【図３】
0006008303.tif 000004
【図４】
0006008303.tif 000005
【図５】
0006008303.tif 000006
【図６】
0006008303.tif 000007
【図７】
0006008303.tif 000008
【図８】
0006008303.tif 000009
【図９】
0006008303.tif 000010
【図１０】
0006008303.tif 000011